(57)【要約】【課題】  読み取り装置の搬送パス、およびその開閉機構を簡単に構成したものであり、ジャム処理性やメンテナンスに非常に優れた読取装置を提供すること。【解決手段】  読取装置は、原稿を給送するピックアップローラと、ピックアップローラによって給送された原稿の画像を読み取るための読み取りユニットと、を備えている。ピックアップローラによって給送された原稿は略Ｕ字形状の原稿搬送路によって案内される。原稿搬送路は内側ガイドと外側ガイドによって形成されている。外側ガイドを回動することによって外側ガイドが内側ガイドから離間し、読み取りユニットを保持している内側ガイドを回動することによって原稿搬送路のうちの読み取りユニットが設けられている読み取り搬送路が開放される。【選択図】  図１
2004357287.tif 000002
【特許請求の範囲】
【請求項１】
原稿を給送するための給送手段と、
前記給送手段によって給送された原稿の画像を読み取るための読み取り部と、
内側ガイドと外側ガイドとによって形成され、前記給送手段によって給送された原稿を案内する略Ｕ形状の原稿搬送路と、
前記原稿搬送路の一部であって前記読み取り部が設けられている読取搬送路と、を有し、
前記外側ガイドは回動可能に支持され、前記外側ガイドを回動することによって前記外側ガイドは前記内側ガイドから離間し、
前記内側ガイドは回動可能に支持されると共に前記読取部を保持し、前記内側ガイドを回動することによって前記読取搬送路が開放されることを特徴とする読取装置。
【請求項２】
前記外側ガイドは前記内側ガイドの回動方向とは反対方向に回動自在であることを特徴とする請求項１に記載の読取装置。
【請求項３】
前記外側ガイドを回動した後、前記内側ガイドを回動することによって、前記原稿搬送路の前記読取搬送路が開放されることを特徴とする請求項１または２に記載の読取装置。
【請求項４】
前記読取搬送路を形成している読み取りガイドと、前記読み取り搬送路と略平行であって前記給送手段が設けられている給送搬送路を形成していて給送ガイドと、が前記内側ガイドに形成されていることを特徴とする請求項１乃至３のいずれか１項に記載の読取装置。
【請求項５】
前記給送部によって給送された原稿を１枚ずつに分離するための分離ローラと分離パッドとを備え、
前記外側ガイドを有するカバーには、前記給送ローラと前記分離ローラとが設けられ、
前記内側ガイドには前記分離パッドが設けられていることを特徴とする請求項１乃至４のいずれか１項に記載の読取装置。
【請求項６】
前記内側ガイドの回動中心は、前記読み取り部よりも前記給送手段による原稿給送方向の上流側に設けられていることを特徴とする請求項１乃至５のいずれか１項に記載の読取装置。
【請求項７】
前記読み取り部は密着型センサを備えていることを特徴とする請求項１乃至６のいずれか１項に記載の読取装置。
【請求項８】
原稿を給送する給送手段と、
前記給送手段によって給送された原稿の第１面の画像を読み取ると共にプラテン上の載置された原稿の画像を読み取ることが可能な第１の読み取り部と、
前記給送手段によって給送された原稿の第２面の画像を読み取るための第２の読み取り部と、
内側ガイドと外側ガイドによって形成され前記給送手段によって給送された原稿を案内するための略Ｕ形状の原稿搬送路と、
前記原稿搬送路の一部であって前記読取部が設けられている読取搬送路と、を有し、
前記外側ガイドは回動可能に支持され、前記外側ガイドを回動することによって前記外側ガイドは前記内側ガイドから離間し、
前記内側ガイドは回動可能に支持されると共に前記読取部を保持し、前記内側ガイドを回動することによって前記読取搬送路が開放されることを特徴とする読取装置。
【請求項９】
前記外側ガイドは前記内側ガイドの回動方向とは反対方向に回動自在であることを特徴とする請求項８に記載の読取装置。
【請求項１０】
前記原稿搬送路における前記第１の読み取り部による読み取り位置よりも下流側に前記第２の読み取り部による読み取り位置があることを特徴とする請求項８又は９に記載の読取装置。
【発明の詳細な説明】
【技術分野】
【０００１】
本発明は原稿の画像を読み取るための読取装置に関する。
【背景技術】
【０００２】
原稿トレイ上に積載された原稿を１搬送する過程で各面の画像情報を読み取る手段として、いわゆるＡＤＦ（Ａｕｔｏ  Ｄｏｃｕｍｅｎｔ  Ｆｅｅｄｅｒ）が古くから知られている。
【０００３】
ＡＤＦは原稿反転手段の有無、読み取り手段の有無などにより下記に分類される。
（１）片面原稿ＡＤＦ（図５）
原稿トレイ上に積載された原稿を１枚ずつ分離し、プラテン上に搬送し、画像読み取り部１００３によって画像を読み取った後に、排出する。
（２）反転手段付き両面原稿ＡＤＦ（図６）
画像読み取り部によって１面目の読み取り後に、当該原稿を排紙反転部によって反転させ、再びプラテン上に反転した原稿を搬送し、裏面を読み取ることによって、２面目の読み取りをおこなう。
（３）読み取り手段付き両面原稿ＡＤＦ（図７）
ＡＤＦ装置内に第１読み取り部１００６と第２読み取り部１００７を原稿の搬送経路に沿って配置し、原稿を搬送しながら両面を同時に読み取る。
【０００４】
上記の三つのＡＤＦの中で、（１）はもっとも安価であるが、両面原稿を自動で読み取ることができず、生産性が劣るという欠点がある。
【０００５】
（２）の反転手段付き両面原稿ＡＤＦにあっては、原稿トレイ上の原稿を１枚に分離して所定の読み取り位置まで搬送して１面目の読み取りを行った後で、さらに原稿を反転させて再び所定の読み取り位置まで搬送して２面目の読み取りをおこない、排紙するという手順で両面読み取りが行なわれるため、読み取りの生産性を高めることができないという問題がある。
【０００６】
また、搬送経路が複雑となるため、搬送中に原稿にダメ−ジを与える確率が高い点も問題である。
【０００７】
次いで（３）の読み取り手段付き両面原稿ＡＤＦについては、２つの光学系を用いて、原稿を搬送する過程で両面を同時に読み取るため、高価ではあるものの、生産性は他のＡＤＦと比較すると格段に優れている。
【０００８】
以上、３つのＡＤＦを比較すると、生産性の観点からは（３）の読み取り手段付き両面原稿ＡＤＦが最も優れているため、今後はこのタイプのＡＤＦが急速に進展すると考えられる。
【０００９】
両面原稿読み取りＡＤＦの例としては、特登録２９２８４４９公報などで示されるように、表面を読み取る第１の読み取りユニットと、裏面を読み取る第２の読み取りユニットを、原稿が搬送されるパスを挟んでその上下に配置し、ガイド板の開口から読み取りをおこなうものが一般的である。
【００１０】
ただしこの種の読み取り手段付きＡＤＦは裏面読み取りユニットに光源、複数の折り返しミラー、レンズ、ＣＣＤからなる、いわゆる縮小光学系を採用した系であり、読み取りユニットそのもののサイズが大きい。
【００１１】
ゆえに搬送パスは給紙から排紙までがほぼ直線状であり、そのため排紙トレイがＡＤＦ装置から外にはみ出す構成とならざるをえない。
【００１２】
そこで、特開平１１−６９０８６号公報および特開平１１−３２７２２１号公報においてこれらの不具合を解決するための提案がなされている。
【００１３】
上記公報における両面原稿読取装置は、縮小光学系の代わりに密着型センサを用いることで装置全体を小さくし、Ｕターンパスを形成している。
【特許文献１】特開平１１−６９０８６号公報
【特許文献２】特開平１１−３２７２２１号公報
【発明の開示】
【発明が解決しようとする課題】
【００１４】
ＡＤＦに限らず、用紙を搬送する装置においては、紙詰まり処理をおこなうために搬送パスを開閉する機構があることが望ましい。
【００１５】
特にＵターンパスを採用するにあたっては、直線状パスよりさらに搬送パスが複雑となることから搬送パスの開閉機構は必要不可欠である。
【００１６】
また、裏面読み取りユニットの原稿読み取り部にゴミがあった場合、画像に黒スジや白スジ等の画像異常が発生する。よって裏面読み取りユニットの原稿読み取り部のメンテナンスを容易におこなえる必要がある。よって原稿読み取り部を開放するための機構はなくてはならない。
【００１７】
上記特開平１１−６９０８６号公報や１１−３２７２２１号公報における両面読み取り装置において、裏面読み取り用の密着型センサはＵターンパスの搬送ガイド内部に配置されている。
【００１８】
また、特開平１１−３２７２２１号公報における両面読み取り装置においては、開閉ヒンジが装置の端部にあり、開閉ヒンジを２段構成にすることによりＵターンパス内部のジャム処理を達成しているが、その構成は非常に複雑であり、機構そのものは高価なものとなっている。
【００１９】
特開平１１−６９０８６号公報は密着センサ部近傍の搬送パスの開閉機構について明記されていないが、給紙トレイの下部に密着センサを配置しており、かなり入り組んだ位置に配置されている。そのため、開閉機構の構成をとろうとした場合、かなり複雑な機構となることは避けられない。
【００２０】
本発明は上記不具合に鑑みてなされたものであり、読み取り装置の搬送パス、およびその開閉機構を簡単に構成したものであり、ジャム処理性やメンテナンスに非常に優れた読取装置を提供するものである。
【課題を解決するための手段】
【００２１】
上記目的を達成するため本発明は、原稿を給送するための給送手段と、前記給送手段によって給送された原稿の画像を読み取るための読み取り部と、内側ガイドと外側ガイドとによって形成され、前記給送手段によって給送された原稿を案内する略Ｕ形状の原稿搬送路と、前記原稿搬送路の一部であって前記読み取り部が設けられている読取搬送路と、を有し、前記外側ガイドは回動可能に支持され、前記外側ガイドを回動することによって前記外側ガイドは前記内側ガイドから離間し、前記内側ガイドは回動可能に支持されると共に前記読取部を保持し、前記内側ガイドを回動することによって前記読取搬送路が開放されることを特徴とする。
【発明の効果】
【００２２】
本発明では、外側ガイドを回動することによって外側ガイドが内側ガイドから離間し、読取部を保持している内側ガイドを回動することによって読取搬送路が開放されるために、ジャム処理性やメンテナンス性に優れた簡単な構成の読取装置を提供できる。
【発明を実施するための最良の形態】
【００２３】
以下、本発明を図面に示した実施例に沿って詳細に説明する。
【００２４】
図１は本発明のＡＤＦにおける第１の実施例を示す全体図である。
【００２５】
本実施例におけるＡＤＦは、スキャナ部１００と、スキャナ部１００上に装備された原稿読み取り搬送部２００と、ブック原稿をプラテンガラス上に押さえつけ、かつ原稿読み取り搬送部に原稿を送るための原稿Ｓを支持するための原稿トレイ３００と、読み取られた原稿Ｓを支持するための排紙トレイ４００を有している。
【００２６】
次に、上記スキャナ部１００と原稿読み取り搬送部２００をさらに詳しく説明する。
【００２７】
スキャナ部１００は、匡体内部に第１読み取りユニット１を有し、匡体上面にはブック原稿用プラテンガラス２と、シ−ト原稿用プラテンガラス３を備えている。
【００２８】
スキャナ部１内に装備された第１読み取りユニット１は、原稿読み取り搬送部２００により搬送される原稿を読み取る場合には図１に示した位置に固定される。
【００２９】
また、ブック原稿やＡＤＦを使用できない原稿を読み取るときには、図示していないヒンジを中心として原稿読み取り搬送部２００、原稿トレイ３００、排紙トレイ４００を一体とした状態で回動させ、ブック原稿用プラテンガラス２を開放した上で、その上に原稿を載置し、第１読み取りユニット１を図示していない駆動部によって図１に示した破線位置の間を原稿サイズに応じて往復移動させて読み取りをおこなう。
【００３０】
第１読み取りユニット１はランプ４と、複数の折り返しミラ−５，６，７，８，９と、レンズ１０と、ＣＣＤ等の光電変換手段１１とから構成されている。
【００３１】
原稿読み取り搬送部２００は、給送手段であるピックアップローラ１２、取り出された原稿の重送を防止するための分離搬送ローラ１３、分離パッド１４、１５、搬送ガイドユニット１６、外カバー兼搬送上ガイド１７、搬送ローラ対１８、１９、搬送ガイドをもつ下フレーム２１、表面が白色の第１プラテンローラ２２、第２プラテンローラ２３、排紙ローラ対２４、および裏面を読み取るための読み取り部である第２読み取りユニット２５などから構成される。分離搬送ローラ１３と分離パッド１５とは当接可能であり、分離搬送ローラ１３と分離パッド１４、１５とによって分離部を構成している。
【００３２】
ここでは説明を省略するが、第２読み取りユニット２５で読み込まれた画像データは、図示しない制御基板等によって一連の読み取り動作の制御や画像処理が行なわれる。
【００３３】
次に動作を加えながらさらに詳細に説明する。
【００３４】
原稿トレイ３００上に積載された原稿は、その下面前方部を搬送ガイドユニット１６の内側ガイド５８の上面に形成された給送リブ５１（給送ガイド）に支持された状態でピックアップローラ１２がトレイ上の最上部の原稿を取り出して搬送する。
【００３５】
ピックアップローラ１２は通常、ホームポジションである図中破線で記載された上方に退避しており、原稿セットを邪魔しないようにしている。
【００３６】
給紙動作が開始されると、図中実線位置に下降して原稿Ｓの最上面に当接するようになっている。
【００３７】
もしここで何枚かの原稿が同時に送り出された場合であっても、分離搬送ローラ１３と、ゴム材料などで形成された分離パッド１４、１５によって１枚に分離して搬送される。
【００３８】
分離された原稿Ｓは、給送リブ５１と、外カバーの内側に形成された搬送リブ５２に沿いながら所定の速度で搬送され、次いで、下フレーム２１の搬送面５３、ガイド板５４に向けて搬送された後、次の搬送ロ−ラ対１８によってシート原稿用プラテンガラス３に向けて搬送される。
【００３９】
第１プラテンローラ２２は、その表面が白色であり、所定の読み取り速度と同等の速度で回転するようになっている。
【００４０】
原稿Ｓが第１読み取りユニット１の上方で、シート原稿用プラテンガラス３と第１プラテンローラ２２の間を所定の読み取り速度で通過することにより、１面目（図中の下面）の画像情報の読み取りが開始される。
【００４１】
次いで、原稿Ｓはジャンプ台５５に先端をすくわれた後、下フレーム２１の搬送面５６、ガイド板５７の間に向けて搬送され、搬送ローラ対１９によって第２読み取りユニット２５に向け搬送される。
【００４２】
搬送ガイドユニット１６は、内側ガイド５８と、内側ガイド５８に取付けられている分離パッド１４、１５および第２読み取りユニットを備えている。第２読み取りユニット２５は密着型センサなどから構成されている。第２読み取りユニット２５は、図３に示すが如く、内側ガイド５８の凹部７０にその読み取り面が下方を向くようにして、所定の固定手段により内側ガイド５８と一体化されている。
【００４３】
内側ガイド５８は樹脂の一体成形品である。内側ガイド５８は略Ｕ形状の原稿搬送路の内側を形成している。内側ガイド５８は、原稿が原稿トレイ３００に載置された際に原稿の先端側を保持すると共に下流側に原稿を案内するための給送ガイドである給送リブ５１も形成されている。
【００４４】
内側ガイド５８の凹部７１の上流側には、第２読み取りユニット２５に原稿Ｓを導くための、読取ガイドとしての複数の読み取り搬送リブ５９が形成されている。原稿Ｓはこの読み取り搬送リブ５９と下フレーム２１の搬送面５６に搬送されながら、第２読み取りユニット２５の読み取り位置に搬送される。読み取り搬送リブ５９および第２読み取りユニット２５の読み取り面（図１の断面図においては読取ユニットの下面）と、下フレーム２１の搬送面５６と、によって読み取り搬送路が形成されている。
【００４５】
第２プラテンローラ２３は第１プラテンローラ２２同様、その表面が白色であり、所定の読み取り速度と同等の速度で回転するようになっている。
【００４６】
ここで、第２プラテンローラ２３は、図４に示すように、その両端部にある軸受け６２（図では片側のみ記載）がバネ６３（同）により上方向に付勢されており、さらにローラ部の両端かつ同軸上に、ローラ外径よりもわずかに大きな径をもつコロ６４（同）を有している。
【００４７】
バネ６３の力でコロ６４が第２読み取りユニット２５の表面に付勢されることにより、第２読み取りユニット２５と第２プラテンローラ２３表面は用紙Ｓが１枚通過する程度のわずかな隙間を空けて配置される。
【００４８】
原稿Ｓが第２読み取りユニット２５と第２プラテンローラ２３の間を所定の読み取り速度で通過することにより、２面目（図中の上面）の画像情報の読み取りが開始される。
【００４９】
読み取りを終了した原稿Ｓは、搬送ガイドユニット１６の第２読み取りユニット下流に設けられた複数の搬送リブ６０と下フレーム２１の搬送面５６の間を通過し、排出部である排紙ロ−ラ対２４により排出トレイ４００へ向けて装置外へ搬送される。１枚目の搬送が終わると、原稿トレイ３００に積載された原稿Ｓから順次搬送され、最後の原稿Ｓが排紙された後、装置は動作を停止する。
【００５０】
なお、給紙搬送などの駆動は図示されていないモ−タにより行なわれる。
【００５１】
このようにしてスキャナ部１００の第１読み取りユニット１と、原稿読み取り搬送部２００に装備された第２読み取りユニット２５とによって、一度の搬送過程中に両面原稿Ｓの表裏を読み取ることができる。
【００５２】
次に、ジャム処理またはメンテナンスで装置を開放する時の説明を、図２を用いて説明する。
【００５３】
外カバー１７はカバー支点６１を中心に、図中反時計方向に回動可能に構成されている。
【００５４】
このとき、ピックアップローラ１２、分離搬送ローラ１３も外カバー１７とともに回動される。
【００５５】
外カバー１７を回動することによって、外カバー１７に形成された外側ガイド５２と、内側ガイド５８とが離間する。この操作により、外側ガイド５２と内側ガイド５８とによって形成されている湾曲された原稿搬送路が開放される。なお、同時に外カバー１７の外側ガイド５２と、内側ガイド５８の上面に形成された給送リブ５１とで形成される給送搬送路も開放される。係る構成によって容易にジャム処理等を行なうことが可能となる。
【００５６】
次に、搬送ガイドユニット１６下方のジャム処理およびメンテナンスについて説明する。搬送ガイドユニット１６は排紙ローラ２４の軸を中心に、図１のおける時計回りの方向に回動可能である。
【００５７】
通常は、搬送ガイドユニット１６の内側ガイド５８の両端部に設けられた突起部７１が搬送面５６に当接した状態であるが、ジャム処理、メンテナンス時はこの搬送ガイドユニット１６自体を図中時計方向に回動させる。
【００５８】
この操作により、搬送ガイドユニット１６下方に形成された搬送リブ５９と下フレームの搬送面５６で形成される読み取り搬送路が開放され、容易にジャム処理およびメンテナンスが可能となる。なお、湾曲された原稿搬送路Ｃと、読み取り搬送路Ｒとによって本発明の略Ｕ字の原稿搬送路が形成されている。
【００５９】
本実施形態では、読み取りユニットを搬送ガイドユニットと一体に設け、搬送ガイドユニットの読み取り面側（読み取り搬送路Ｒ側）と略平行なその反対面側（給送搬送路Ｆ側）の両方にガイド面を形成し、かつ搬送ガイドユニットを可動としたことにより、ジャム処理時やメンテナンス時で必要な開放動作が簡単な機構で実現できる。
【００６０】
また、搬送ガイドユニットの内側ガイドを樹脂で形成し、かつ搬送リブも一体で形成していることから、非常に安価な開放動作機構が実現できる。
【図面の簡単な説明】
【００６１】
【図１】本発明の実施形態に係る両面原稿ＡＤＦの断面図。
【図２】本発明の実施形態に係る両面原稿ＡＤＦの搬送パスの開放状態を示す図。
【図３】本発明の実施形態に係る搬送ガイドユニットの斜視図。
【図４】本発明の実施形態に係る第２プラテンローラまわりの斜視図。
【図５】従来例に係る片面原稿ＡＤＦの断面図。
【図６】従来例に係る反転手段付き両面原稿ＡＤＦの断面図。
【図７】従来例に係る読み取り手段付き両面原稿ＡＤＦの断面図。
【符号の説明】
【００６２】
１  第１読み取りユニット
２  ブック原稿用プラテンガラス
３  シート原稿用プラテンガラス
１６  搬送ガイドユニット
１７  外カバー兼搬送上ガイド
２１  下フレーム
２２  第１プラテンローラ
２３  第２プラテンローラ
２５  第２読み取りユニット
【図１】
2004357287.tif 000003
【図２】
2004357287.tif 000004
【図３】
2004357287.tif 000005
【図４】
2004357287.tif 000006
【図５】
2004357287.tif 000007
【図６】
2004357287.tif 000008
【図７】
2004357287.tif 000009